(57)【要約】【課題】小型化を図ることができ、部材点数を増加させずに異なる径の投写光学系を使用することができるプロジェクタ用筐体及びこの筐体を備えたプロジェクタを提供すること。【解決手段】前面部１３Ａには開口部２７が形成されおり、この開口部２７からは、投写レンズが露出している。前面部１３Ａの内面には、投写レンズと開口部２７との間に形成される隙間を遮蔽するための遮蔽部１３０が設けられている。第一遮蔽部材１３１は、投写レンズの移動方向先端側及び後端側に形成される隙間のうち一方の隙間遮蔽する。第二遮蔽部材１３２は他方の隙間を遮蔽する。第三遮蔽部材１３３には、投写レンズを露出する孔１３３Ａが形成されており、投写レンズの移動方向先端側及び後端側を遮蔽する。【選択図】図１１
2004205686.tif 000002
【特許請求の範囲】
【請求項１】
光源と、光源から射出された光束を画像情報に応じて変調し光学像を形成する光変調装置と、この光変調装置により形成された光学像を拡大投写する投写光学系とを含む装置本体を備えたプロジェクタの前記装置本体を収納するプロジェクタ用筐体であって、
前記投写光学系には、投写位置を調整する位置調整機構が設けられ、
前記投写光学系が露出し、かつ前記位置調整機構により前記投写光学系が移動する開口部が形成された前面部と、この前面部の内面に設けられ、前記投写光学系を露出させた際、前記開口部と投写光学系との間の隙間を遮蔽する遮蔽部とを備え、
この遮蔽部は、前記内面に摺動自在に設けられ、前記プロジェクタに搭載される最大径の投写光学系を前記開口部の基準位置から露出させた際、この投写光学系の移動方向先端側及び後端側に形成される隙間のうち一方の隙間を遮蔽する第一遮蔽部材と、他方の隙間を遮蔽する第二遮蔽部材と、前記基準位置にある前記投写光学系の少なくとも移動方向後端側に遊嵌状態で取り付けられる第三遮蔽部材とを備えることを特徴とするプロジェクタ用筐体。
【請求項２】
請求項１に記載のプロジェクタ用筐体において、
前記第一遮蔽部材と、前記第二遮蔽部材とは互いに接近する方向に付勢されていることを特徴とするプロジェクタ用筐体。
【請求項３】
請求項１または２に記載のプロジェクタ用筐体において、
前記前面部には、この前面部に対し交差する延出部本体と、この延出部本体から前記前面部と平行にのびる取り付け部とを備えるとともに、プロジェクタ用筐体の一部を構成する延出部が取り付けられ、
前記第一遮蔽部材又は第二遮蔽部材は前記取り付け部と前面部との間に配置されていることを特徴とするプロジェクタ用筐体。
【請求項４】
光源と、光源から射出された光束を、画像情報に応じて変調して光学像を形成する光変調装置と、この光変調装置で形成された光学像を拡大投写する投写光学系とを含む装置本体とを備えたプロジェクタであって、
請求項１〜３の何れかに記載のプロジェクタ用筐体を備えたことを特徴とするプロジェクタ。
【発明の詳細な説明】
【０００１】
【発明の属する技術分野】
本発明は、プロジェクタ用筐体及この筐体を備えたプロジェクタに関する。
【０００２】
【背景技術】
従来より、複数の色光を画像情報に応じて各色光毎に変調する複数の光変調装置（液晶パネル）と、各光変調装置で変調された色光を合成する色合成光学系（クロスダイクロイックプリズム）と、この色合成光学系で合成された光束を拡大投写して投写画像を形成する投写光学系（投写レンズ）とを有する装置本体を備えたプロジェクタが利用されている。この装置本体は筐体内に収納され、投写光学系の投写レンズは筐体に形成された開口部から露出している。
【０００３】
このようなプロジェクタの中には、大型店舗やパブリックスペース等において種々の映像情報を不特定多数の観察者に提供するものがあり、この種のプロジェクタを使用するにあたって、プロジェクタを低い位置に固定して上方にあおり投写する場合や、高い位置に固定して下方にあおり投写する場合がある。そのため、光変調装置等の光学系に対して、光束が射出される方向と直交する方向に投写レンズをシフトさせる位置調整機構が設けられたものが知られている（例えば、特許文献１）。
位置調整機構を備えたプロジェクタでは、投写レンズを露出させる開口部を長孔状に形成し、この長孔に沿って投写レンズを移動させるようになっている。
しかし、このようなプロジェクタでは、投写光学系が移動した際に、この投写光学系と筐体に形成された開口部との間に隙間が生じてしまい、隙間から塵埃等が進入する虞がある。また、隙間が生じるため、外観上の見栄えが悪いという問題がある。そこで、筐体内面に投写レンズに追従して移動する１枚又は２枚の遮蔽部材を取り付けてこれにより隙間の目隠しをすることが行われている。
【０００４】
【特許文献１】
特開平０９−２３０２８４号公報（図１）
【０００５】
【発明が解決しようとする課題】
しかしながら、このように一枚又は二枚の遮蔽部材を追従させる構成では、筐体の投写レンズの移動方向に沿った寸法を充分に確保しなければ、筐体内部で遮蔽部材の移動範囲を確保できないという問題がある。そのため、筐体の投写レンズ移動方向の長さ寸法が長くなり小型化を図ることが困難となる。
また、投写レンズを小さな径のものに変更する場合には、遮蔽部材がそのままでは、隙間が生じてしまうため、投写レンズの径に応じた遮蔽部材を準備しなければならず、部材点数が増加してしまうという問題がある。
【０００６】
本発明の目的は、小型化を図ることができ、部材点数を増加させずに異なる径の投写光学系を使用することができるプロジェクタ用筐体及びこの筐体を備えたプロジェクタを提供することである。
【０００７】
【課題を解決するための手段】
本発明のプロジェクタ用筐体は、光源と、光源から射出された光束を画像情報に応じて変調し光学像を形成する光変調装置と、この光変調装置により形成された光学像を拡大投写する投写光学系とを含む装置本体を備えたプロジェクタの前記装置本体を収納するプロジェクタ用筐体であって、前記投写光学系には、投写位置を調整する位置調整機構が設けられ、前記投写光学系が露出し、かつ前記位置調整機構により前記投写光学系が移動する開口部が形成された前面部と、この前面部の内面に設けられ、前記投写光学系を露出させた際、前記開口部と投写光学系との間の隙間を遮蔽する遮蔽部とを備え、この遮蔽部は、前記内面に摺動自在に設けられ、前記プロジェクタに搭載される最大径の投写光学系を前記開口部の基準位置から露出させた際、この投写光学系の移動方向先端側及び後端側に形成される隙間のうち一方の隙間を遮蔽する第一遮蔽部材と、他方の隙間を遮蔽する第二遮蔽部材と、前記基準位置にある前記投写光学系の少なくとも移動方向後端側に遊嵌状態で取り付けられる第三遮蔽部材とを備えることを特徴とする。
【０００８】
本発明において、最大径の投写光学系が基準位置にある場合には、開口部と投写光学系との間の隙間は第一遮蔽部材および第二遮蔽部材で遮蔽されている。この投写光学系を、例えば、第二遮蔽部材側に移動させると、第二遮蔽部材は投写光学系に伴って摺動する。第一遮蔽部材は摺動せず、そのままの位置に留まるため、第一遮蔽部材と投写光学系との間には隙間が形成される。ここで、投写光学系の移動方向後端側に遊嵌状態で取り付けられていた第三遮蔽部材を移動方向先端側（第二遮蔽部材側）に移動させれば、第一遮蔽部材と投写光学系との間の隙間を第三遮蔽部材により遮蔽することができる。
すなわち、投写光学系を第二遮蔽部材側に移動させた場合には、投写光学系の移動方向先端側と開口部との隙間は第二遮蔽部材により遮蔽され、投写光学系の移動方向後端側と開口部との隙間は第一遮蔽部材及び第三遮蔽部材により遮蔽されることとなる。
【０００９】
なお、投写光学系を第一遮蔽部材側に移動する場合には、第三遮蔽部材は第二遮蔽部材側（移動方向後端側）に取り付けられることとなるので、第二遮蔽部材と投写光学系との間に生じる隙間を第三遮蔽部材により遮蔽することができる。すなわち、投写光学系を第一遮蔽部材側に移動させた場合には、投写光学系の移動方向先端側と開口部との隙間は第一遮蔽部材により遮蔽され、投写光学系の移動方向後端側と開口部との隙間は第二遮蔽部材及び第三遮蔽部材により遮蔽されることとなる。
このように、投写光学系が開口部を移動しても投写光学系と開口部との間には隙間が形成されないので、外観が良好となる。
【００１０】
また、投写光学系を基準位置から移動させた際、投写光学系の移動方向後端側と開口部との隙間をひとつの遮蔽部材で遮蔽する場合には、遮蔽部材は、この隙間と同じ長さ寸法を有するものでなければならない。そして、この遮蔽部材が前面部から突出してしまわないよう、前面部の投写光学系の移動方向に沿った長さ寸法も長くしなければならない。
これに対し、本発明では、投写光学系を基準位置から移動させた際、例えば、第二遮蔽部材側に移動させた場合には、投写光学系の移動方向後端側と開口部との隙間を第一遮蔽部材と第三遮蔽部材との二つで遮蔽することとなるので、ひとつの遮蔽部材で隙間を遮蔽しようとする場合に比べ、各遮蔽部材の長さ寸法を短くすることができる。このように、遮蔽部材の長さ寸法を短くすることができるので、筐体の投写光学系移動方向に沿った長さ寸法を長くする必要がなく、筐体の小型化を図ることができる。
【００１１】
さらに、基準位置にある最大径の投写光学系の移動方向先端側の隙間を第二遮蔽部材で遮蔽し、後端側の隙間を第一遮蔽部材で遮蔽しているとする。この際、第三遮蔽部材は、最大径の投写光学系の移動方向後端側、すなわち第一遮蔽部材と重なるように取り付けられる。
このような場合において、最大径の投写光学系よりも径の小さな他の投写光学系を使用するには、この径の小さな投写光学系を第二遮蔽部材に当接して配置する。すると、第一遮蔽部材と投写光学系との間には隙間が形成されるが、この隙間は、第三遮蔽部材を第二遮蔽部材側に摺動させることで遮蔽することができる。従って、従来のように投写光学系の径ごとに遮蔽部材を用意する必要がなく、部材点数を増加させずに、異なる径寸法の投写光学系を使用することができる。
【００１２】
本発明では、前記第一遮蔽部材と、前記第二遮蔽部材とは互いに接近する方向に付勢されていることが好ましい。
例えば、投写光学系を基準位置から第二遮蔽部材側に移動させた後、再度、投写光学系を基準位置に戻す（投写光学系を第一遮蔽部材側に移動させる）場合、第二遮蔽部材は第一遮蔽部材側に付勢されているので、投写光学系に追従して摺動する。そのため、第二遮蔽部材と投写光学系との間には隙間が形成されない。同様に、投写光学系を第一遮蔽部材側に移動させた後、再度、投写光学系を基準位置に戻す場合も、第一遮蔽部材は第二遮蔽部材側に付勢されているので、投写光学系に追従して摺動し、第二遮蔽部材と投写光学系との間には隙間が形成されない。このように、投写光学系を移動させる際においても、投写光学系の周囲には隙間が形成されることがないので、外観が良好となる。
【００１３】
本発明では、前記前面部には、この前面部に対し交差する延出部本体と、この延出部本体から前記前面部と平行にのびる取り付け部とを備えるとともに、プロジェクタ用筐体の一部を構成する延出部が取り付けられ、前記第一遮蔽部材又は第二遮蔽部材は前記取り付け部と前面部との間に配置されていることが好ましい。
この発明によれば、取り付け部と前面部との間に第一遮蔽部材又は第二遮蔽部材を配置したので、第一遮蔽部材又は第二遮蔽部材は取り付け部と前面部との間に挟持されることとなり、前面部に確実に取り付けることができる。
【００１４】
本発明のプロジェクタは、光源と、光源から射出された光束を、画像情報に応じて変調して光学像を形成する光変調装置と、この光変調装置で形成された光学像を拡大投写する投写光学系とを含む装置本体とを備えたプロジェクタであって、上述した何れかのプロジェクタ用筐体を備えたことが好ましい。
本発明のプロジェクタは何れかのプロジェクタ用筐体を備えているので、上述したプロジェクタ用筐体と同様の効果を奏することができる。
【００１５】
【発明の実施の形態】
以下、本発明の実施の一形態を図面に基づいて説明する。
（１）外観構成
図１および図２には、本発明の実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学ユニットを含む装置本体を内部に収納する外装ケース２および外装ケース２から露出する投写レンズ３を備えている。このプロジェクタ１は、大型店舗内や、パブリックスペース等に設置され、投写画像を大画面表示することによって、多数の観察者に映像情報を提供するものである。
投写レンズ３は、後述する光変調装置としての液晶パネルにより光源から射出された光束を画像情報に応じて変調形成された光学像を拡大投写する投写光学系としての機能を具備するものであり、筒状の鏡筒内に複数のレンズが収納された組レンズとして構成される。この投写レンズ３は、このプロジェクタ１に搭載可能な最大径の投写レンズである。
【００１６】
筐体としての外装ケース２は、投写方向に沿った奥行き寸法がこれに直交する幅方向寸法よりも大きな直方体形状をなし、装置本体を覆う面状体１０と、ケース強度を負担するフレーム体（図示略）とを備えて構成されている。
面状体１０は、装置本体の上部を覆うアッパーケース１１と、装置本体の下部を覆うロアーケース１２と、装置本体の前面部分を覆うフロントケース１３とを備えている。これら各ケース１１〜１３は、射出成形等によって成形された合成樹脂製の一体成形品である。
【００１７】
アッパーケース１１は、装置本体の上部を覆う筐体上面部１１Ａと、この筐体上面部１１Ａの幅方向端部から略垂下する筐体側面部１１Ｂ、１１Ｃと、筐体上面部１１Ａの後端部から略垂下する筐体背面部１１Ｄとを備えている。
このアッパーケース１１の筐体上面部１１Ａと、筐体側面部１１Ｂ、１１Ｃとが交差する稜線部分には、プロジェクタ１の投写方向略中央から後端側に向かって面取加工が施され、稜線に沿って凹状にへこんだ凹部１１１が形成されている。この凹部１１１は、プロジェクタ１を２台スタックさせた際に、２台のプロジェクタ１を連結するパイプ状の支持部材を挿入するために形成されている。
また、筐体側面部１１Ｂには、冷却空気導入用のスリット状の開口部１１２が形成されている。
【００１８】
筐体上面部１１Ａの略中央部分には、プロジェクタ１の起動・調整操作を行うための操作パネル１４が設けられている。この操作パネル１４は、起動スイッチ、画像・音声等の調整スイッチを含む複数のスイッチを備え、プロジェクタ１による投写時には、操作パネル１４中の調整スイッチ等を操作することにより、画質・音量等の調整を行うことができる。
また、筐体上面部１１Ａの投写方向前方には、複数の孔１４１が形成されていて、この内部には、後述する音声出力用のスピーカが収納されている。
これら操作パネル１４およびスピーカは、後述する装置本体を構成する制御基板と電気的に接続され、操作パネル１４による操作信号はこの制御基板で処理される。
【００１９】
筐体背面部１１Ｄは、ほぼ全面が開口された枠状に構成され、この開口部分には、画像信号等を入力するためのコネクタ群１５が露出するとともに、その隣は、光源装置を収納する開口部とされ、通常は、光源装置収納用の蓋部材１６によって覆われている。尚、コネクタ群１５は、後述する制御基板と電気的に接続され、コネクタ群１５を介して入力した画像信号は、制御基板によって処理される。
また、筐体上面部１１Ａの後端部及び筐体背面部１１Ｄの上端部分は、アッパーケース１１から脱着可能な蓋部材１１３が取り付けられていて、詳しくは後述するが、この蓋部材１１３内部には、ＬＡＮボード等の拡張基板を挿入することができるようになっている。
【００２０】
ロアーケース１２は、アッパーケース１１との係合面を中心としてアッパーケース１１と略対称に構成され、筐体底面部１２Ａ、筐体側面部１２Ｂ、１２Ｃ、および筐体背面部１２Ｄを備えている。
そして、筐体側面部１２Ｂ、１２Ｃ、および筐体背面部１２Ｄは、その上端部分でアッパーケース１１の筐体側面部１１Ｂ、１１Ｃ、及び筐体背面部１１Ｄの下端部分と係合する。尚、筐体背面部１２Ｄは、アッパーケース１１の筐体背面部１１Ｄと同様に、ほぼ全面が開口され、係合後の開口部分から前述したコネクタ群１５が露出するとともに、両開口部分に跨って蓋部材１６が取り付けられる。
また、筐体背面部１２Ｄの角隅部には、さらに開口部が形成されており、この開口部からインレットコネクタ１７が露出している。さらに、筐体側面部１２Ｂには、アッパーケース１１の筐体側面部１１Ｂに形成された開口部１１２に応じた位置に開口部１２２が形成されている。
【００２１】
筐体底面部１２Ａには、プロジェクタ１の後端側略中央に固定脚部１８が設けられているとともに、先端側幅方向両端に調整脚部１９が設けられている。
調整脚部１９は、筐体底面部１２Ａから面外方向に進退自在に突出する軸状部材から構成され、軸状部材自体は、外装ケース２の内部に収納されている。このような調整脚部１９は、プロジェクタ１の側面部分に設けられる調整ボタン１９１を操作することにより、筐体底面部１２Ａからの進退量を調整することができる。
これにより、プロジェクタ１から射出された投写画像の上下位置を調整し、適切な位置に投写画像を形成することができるようになる。
【００２２】
また、筐体底面部１２Ａには、筐体底面部１２Ａの略中央に投写方向に沿って延びる凸条のリブ状部２０と、このリブ状部２０と直交するようにプロジェクタ１の幅方向に沿って延びる複数のリブ状部２１、２２とが形成されている。そして、中間部分の２本のリブ状部２１の間には、詳しくは後述するが、外部から冷却空気を取り込むための吸気用開口部が形成されていて、フィルタ２３によって覆われている。このフィルタ２３で塞がれた吸気用開口部の後端側には、やはり冷却空気取り込み用の吸気用開口部２４が形成されているが、フィルタで覆われる構成とはなっていない。
プロジェクタ１の幅方向に沿って延びるリブ状部２１、２２の端部には、ねじ孔２１Ａが４箇所形成されている。このねじ孔２１Ａには、プロジェクタ１を天井吊り下げとした場合の天井吊り下げ用の金具が装着される。
さらに、筐体底面部１２Ａの装置後端側端縁には、係合部２６が形成されており、この係合部２６には、前述したコネクタ群１５を覆って塵埃等がこれらに付着することを防止するためのカバー部材が取り付けられるようになっている。
【００２３】
フロントケース１３は、前面部１３Ａおよび上面部（延出部）１３Ｂを備えて構成され、前面部１３Ａの外周部分には、面外方向に延びるリブ１３Ｃが形成されており、アッパーケース１１、ロアーケース１２の投写方向先端側とこのリブ１３Ｃが係合する。
前面部１３Ａは、ロアーケース１２の筐体底面部１２Ａからアッパーケース１１の筐体上面部１１Ａに向かって装置後端側に傾斜しており、その方向は投写面から遠ざかるように傾斜している。このようにしたのは、プロジェクタ１を天井吊り下げにした際に、フロントケース１３の前面部１３Ａが下面を向くので、フロントケース１３に塵埃が付着しにくくなるためであり、通常設置の状態よりもメンテナンスしにくい天井吊り下げの場合を考慮したためである。
【００２４】
このような前面部１３Ａの略中央部分には開口部２７が形成されており、この開口部２７からは投写レンズ３が露出する。
この開口部２７には、隣接してスリット状の開口部２８が形成されており、プロジェクタ１の装置本体内部を冷却した空気は、この開口部２８から排出される。
さらに、前面部１３Ａの角隅部近傍には、孔２９が形成されており、この孔２９からは、不図示のリモートコントローラの操作信号を受信するための受光部３０が露出している。
尚、本例においては、プロジェクタ１の背面側にも受光部３０が設けられており、図２に示されるようにアッパーケース１１の筐体背面部１１Ｄの角隅部から受光部３０が露出している。これにより、リモートコントローラを使用する場合、装置前面側、装置背面側のいずれの方向からもリモートコントローラの操作信号を受信することができるようになっている。
【００２５】
上面部１３Ｂは、アッパーケース１１の筐体上面部１１Ａの略中央まで延出し、ここでは具体的には図示を略したが、投写レンズ３の基端部近傍まで達している。詳しくは後述するが、このようにしたのは、投写レンズ３を変更する際に、フロントケース１３を取り外すだけで投写レンズ３を交換できるようにするためであり、アッパーケース１１およびロアーケース１２からフロントケース１３を取り外すと、上面部１３Ｂが外れて開口され、投写レンズ３の基端部取付部分が露出するようになっている。
【００２６】
（２）内部構成
このような外装ケース２の内部には、図３〜図５に示されるように、プロジェクタ１の装置本体が収納されており、この装置本体は、光学ユニット４、制御基板５、および電源ブロック６を備えて構成される。
(2-1)光学ユニット４の構造
光学エンジンとしての光学ユニット４は、光源装置から射出された光束を画像情報に応じて変調して光学像を形成し、投写レンズ３を介してスクリーン上に投写画像を形成するものであり、図５に示されるように、ライトガイド４０という光学部品用筐体内に、光源装置や、種々の光学部品等を組み込んだものとして構成される。
このライトガイド４０は、下ライトガイド４０１、上ライトガイド４０２から構成され、それぞれは、射出成形等による合成樹脂製品である。
【００２７】
下ライトガイド４０１は、図６に示されるように、後述する光源装置が収納される光源収納部４０１Ａ及び光学部品を収納する部品収納部４０１Ｂを備え、この部品収納部４０１Ｂは、底面部４０１Ｃ及び側壁部４０１Ｄからなる上部が開口された容器状に形成され、側壁部４０１Ｄには、複数の溝部４０１Ｅが設けられている。この溝部４０１Ｅには、光学ユニット４を構成する種々の光学部品が装着され、これにより各光学部品は、ライトガイド４０内に設定された照明光軸上に精度よく配置される。上ライトガイド４０２は、この下ライトガイド４０１に応じた平面形状を有し、下ライトガイド４０１の上面を塞ぐ蓋状部材として構成される。
また、下ライトガイド４０１の光束射出側端部には、金属製の側面略Ｌ字状のヘッド体４０３が配置され、このヘッド体４０３のＬ字水平部分には、後述する光学装置４４が取り付けられるとともに、Ｌ字垂直部分には、投写レンズ３の基端部分が接合固定される。
【００２８】
このようなライトガイド４０内は、図７に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、ライトガイド４０内で光源から射出された白色光を三色の色光に分離する空間色分離型の光学ユニットとして構成されている。
インテグレータ照明光学系４１は、光源から射出された光束を照明光軸直交面内における照度を均一にするための光学系であり、光源装置４１１、平行化凹レンズ４１２、第１レンズアレイ４１３、第２レンズアレイ４１４、偏光変換素子４１５、および重畳レンズ４１６を備えて構成される。
【００２９】
光源装置４１１は、放射光源としての光源ランプ４１７、リフレクタ４１８、およびリフレクタ４１８の光束射出面を覆うフロントガラス４１９を備え、光源ランプ４１７から射出された放射状の光線を、平行化凹レンズ４１２及びリフレクタ４１８で反射して略平行光線とし、外部へと射出する。本例では、光源ランプ４１７として高圧水銀ランプを採用しているが、これ以外にメタルハライドランプやハロゲンランプを採用することもある。また、本例では、楕円面鏡からなるリフレクタ４１８の射出面に平行化凹レンズ４１２を配置した構成を採用しているが、リフレクタ４１８として放物面鏡を採用することもできる。
【００３０】
第１レンズアレイ４１３は、照明光軸方向から見てほぼ矩形状の輪郭を有する小レンズがマトリクス状に配列された構成を具備している。各小レンズは、光源ランプ４１７から射出された光束を部分光束に分割し、照明光軸方向に射出する。各小レンズの輪郭形状は、後述する液晶パネル４４１Ｒ、４４１Ｇ、４４１Ｂの画像形成領域の形状とほぼ相似形をなすように設定される。例えば、液晶パネル４４１Ｒ、４４１Ｇ、４４１Ｂの画像形成領域のアスペクト比（横と縦の寸法の比率）が４：３であるならば、各小レンズのアスペクト比も４：３に設定される。
第２レンズアレイ４１４は、第１レンズアレイ４１３と略同様の構成であり、小レンズがマトリクス状に配列された構成を具備する。この第２レンズアレイ４１４は、重畳レンズ４１６とともに、第１レンズアレイ４１３の各小レンズの像を液晶パネル４４１Ｒ、４４１Ｇ、４４１Ｂ上に結像させる機能を有する。
【００３１】
偏光変換素子４１５は、第２レンズアレイ４１４からの光を１種類の偏光光に変換するものであり、これにより、光学装置４４での光の利用率が高められている。
具体的に、偏光変換素子４１５によって１種類の偏光光に変換された各部分光束は、重畳レンズ４１６によって最終的に光学装置４４の液晶パネル４４１Ｒ、４４１Ｇ、４４１Ｂ上にほぼ重畳される。偏光光を変調するタイプの液晶パネル４４１Ｒ、４４１Ｇ、４４１Ｂを用いたプロジェクタでは、１種類の偏光光しか利用できないため、ランダムな偏光光を発する光源ランプ４１７からの光束の略半分が利用されない。このため、偏光変換素子４１５を用いることにより、光源ランプ４１７から射出された光束を全て１種類の偏光光に変換し、光学装置４４における光の利用効率を高めている。なお。このような偏光変換素子４１５は、例えば、特開平８−３０４７３９号公報に紹介されている。
【００３２】
色分離光学系４２は、インテグレータ照明光学系４１から射出された光束を曲折する反射ミラー４２１と、２枚のダイクロイックミラー４２２，４２３と、反射ミラー４２４とを備え、ダイクロイックミラー４２２、４２３によりインテグレータ照明光学系４１から射出された複数の部分光束を赤（Ｒ）、緑（Ｇ）、青（Ｂ）の３色の色光に分離する機能を有している。尚、本例では、反射ミラー４２４は、下ライトガイド４０１に対して姿勢を調整することができるようになっている。
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００３３】
この際、色分離光学系４２のダイクロイックミラー４２２では、インテグレータ照明光学系４１から射出された光束のうち、赤色光成分と緑色光成分とは反射し、青色光成分は透過する。ダイクロイックミラー４２２によって透過した青色光は、反射ミラー４２４で反射し、フィールドレンズ４２５を通って、青色用の液晶パネル４４１Ｂに到達する。このフィールドレンズ４２５は、第２レンズアレイ４１４から射出された各部分光束をその中心軸（主光線）に対して平行な光束に変換する。他の液晶パネル４４１Ｇ、４４１Ｒの光入射側に設けられたフィールドレンズ４２５も同様である。
【００３４】
また、ダイクロイックミラー４２２を反射した赤色光と緑色光のうちで、緑色光は、ダイクロイックミラー４２３によって反射し、フィールドレンズ４２５を通って、緑色用の液晶パネル４４１Ｇに到達する。一方、赤色光は、ダイクロイックミラー４２３を透過してリレー光学系４３を通り、さらにフィールドレンズ４２５を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４２５に伝えるためである。なお、リレー光学系４３には、３つの色光のうちの赤色光を通す構成としたが、これに限らず、例えば、青色光を通す構成としてもよい。
【００３５】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ、４４１Ｇ、４４１Ｂと、各液晶パネル４４１Ｒ、４４１Ｇ、４４１Ｂの後段に配置される視野角補正板４４３および射出側偏光板４４４と、色合成光学系としてのクロスダイクロイックプリズム４４５とを備える。
【００３６】
液晶パネル４４１Ｒ、４４１Ｇ、４４１Ｂは、例えば、ポリシリコンＴＦＴをスイッチング素子として用いたものであり、図８に示されるように、液晶パネル４４１Ｇを例に取れば、パネル本体４４１１と、このパネル本体４４１１を収納する保持枠４４１２とを備えている。尚、以下の説明では、液晶パネル４４１Ｒ、４４１Ｂについては特段言及しないが、液晶パネル４４１Ｇと略同様の構成である。
パネル本体４４１１は、図示を略したが、対向配置される一対の透明基板内に液晶が密封封入されたものであり、一対の透明基板の入射側及び射出側には防塵ガラスが貼り付けられている。
保持枠４４１２は、パネル本体４４１１を収納する凹部を有する部材であり、その四隅部分には、孔４４１３が形成されている。
【００３７】
このような液晶パネル４４１Ｒ、４４１Ｇ、４４１Ｂの前段に配置される入射側偏光板４４２（図７参照）は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４２５に貼り付けてもよい。
視野角補正板４４３は、基板上に液晶パネル４４１Ｇで形成された光学像の視野角を補正する機能を有する光学変換膜が形成されたものであり、このような視野角補正板４４３を配置することにより、投写画像の視野角が拡大され、かつ投写画像のコントラストが大幅に向上する。
【００３８】
射出側偏光板４４４は、液晶パネル４４１Ｇで光変調された光束のうち、所定方向の偏光光のみ透過させ、その他の光束を吸収するものであり、本例では、２枚の第１偏光板（プリポラライザ）４４４Ｐ及び第２偏光板（アナライザ）４４４Ａから構成されている。このように射出側偏光板４４４を２枚構成としたのは、入射する偏光光を、第１偏光板４４４Ｐ、第２偏光板４４４Ａのそれぞれで按分させて吸収することにより、偏光光で発生する熱を両偏光板４４４Ｐ、４４４Ａで按分させ、それぞれの過熱を抑えるためである。
【００３９】
クロスダイクロイックプリズム４４５は、射出側偏光板４４４から射出され、各色光毎に変調された光学像を合成してカラー画像を形成するものである。
クロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
このクロスダイクロイックプリズム４４５の下面には、プリズム固定板４４５１が紫外線硬化型接着剤により固着されている。このプリズム固定板４４５１は、クロスダイクロイックプリズム４４５の対角線に沿って伸びる脚部４４５２を備え、各脚部４４５２の先端部分には孔４４５３が形成されている。
そして、光学装置４４は、この孔４４５３部分に挿入される不図示のねじ等によって前述したヘッド体４０３のＬ字水平分に接合固定される。
【００４０】
前述した液晶パネル４４１Ｇ、視野角補正板４４３、第１偏光板４４４Ｐ及び第２偏光板４４４Ａは、パネル固定板４４６を介してクロスダイクロイックプリズム４４５の光束入射端面に固定される。
パネル固定板４４６は、平面視略Ｃ字形状の固定部本体４４６１と、この固定部本体４４６１の先端側に腕部４４６２を介して突設されるピン４４６３とを備える。このうち、固定部本体４４６１のＣ字先端には、視野角補正板４４３が固定される台座４４６４と、Ｃ字先端側縁に沿って延出し、視野角補正板４４３の外形位置基準となり位置決め部４４６４Ａが形成されている。
そして、液晶パネル４４１Ｇ、視野角補正板４４３、第１偏光板４４４Ｐ及び第２偏光板４４４Ａを、パネル固定板４４６によってクロスダイクロイックプリズム４４５の光束入射端面に固定する場合、まず、固定部本体４４６１のＣ字内側の空間に第１偏光板４４４Ｐ、第２偏光板４４４Ａを挿入し、バネ部材４４６５によって該空間内に、これら偏光板４４４Ｐ、４４４Ａが一定距離離間配置するように付勢しながら固定する。
【００４１】
次に、視野角補正板４４３の外形位置を位置決め部４４６４Ａにて合わせながら、視野角補正板４４３の端面を台座４４６４に熱伝導性テープまたは接着剤等で貼り付けた後、クロスダイクロイックプリズム４４５の光束入射端面にパネル固定板４４６を固定する。
そして、パネル固定板４４６のピン４４６３に紫外線硬化型接着剤を塗布した後、未硬化の状態で液晶パネル４４１Ｇの孔４４１３を挿通する。
同様の手順で液晶パネル４４１Ｒ、４４１Ｂも、紫外線硬化型接着剤が未硬化の状態でパネル固定板４４６に仮止めしておき、各液晶パネル４４１Ｒ、４４１Ｇ、４４１Ｂに赤、緑、青の各色光を導入し、クロスダイクロイックプリズム４４５の光束射出端面から射出された各色光を観察しながら、液晶パネル４４１Ｒ、４４１Ｇ、４４１Ｂ相互の位置調整を行い、位置調整が終了したら、紫外線硬化型接着剤に紫外線を照射して、液晶パネル４４１Ｒ、４４１Ｇ、４４１Ｂの位置決め固定を行う。
【００４２】
(2-2)制御基板５の構造
制御基板５は、図４及び図５に示すように、光学ユニット４の上側を覆うように配置され、２段に積層配置されるメイン基板５１を備え、上段側基板５１１には、演算処理装置等の制御部本体が実装され、下側基板５１２には、各液晶パネル４４１Ｒ、４４１Ｇ、４４１Ｂの駆動用ＩＣが実装されている。また、この制御基板５は、図示を略したが、このメイン基板５１の後端側で接続され、外装ケース２の筐体背面部１１Ｄ、１２Ｄに起立するインターフェース基板を備えている。
インターフェース基板の背面側には、前述したコネクタ群１５が実装されていて、コネクタ群１５から入力する画像情報は、このインターフェース基板を介してメイン基板５１に出力される。
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して液晶パネル４４１を駆動させ、これにより、画像情報に応じて光変調を行って光学像が形成される。
【００４３】
(2-3)電源ブロック６の構造
電源ブロック６は、光学ユニット４に隣接して、プロジェクタ１の外装ケース２の投写方向に沿って延出して設けられ、図示を略したが、電源ユニット及びランプ駆動ユニットを備えている。
電源ユニットは、前述したインレットコネクタ１７に接続された電源ケーブルを通して外部から供給された電力をランプ駆動ユニットや制御基板５等に供給するものである。
ランプ駆動ユニットは、前述した光源装置４１１に安定した電圧で電力を供給するための変換回路であり、電源ユニットから入力した商用交流電流は、このランプ駆動ユニットによって整流、変換されて、直流電流や交流矩形波電流となって光源装置４１１に供給される。
このような電源ブロック６の前方には、図３に示すように、排気ファン６１が設けられており、プロジェクタ１内部の各構成部材を冷却した空気は、この排気ファン６１によって集められ、外装ケース２の開口部２８から装置外部に排出される。
【００４４】
(2-4)冷却構造
このようなプロジェクタ１内部は、光源装置４１１や電源ブロック６の発熱により加熱されるため、内部に冷却空気を循環させて、光源装置４１１、光学装置４４、電源ブロック６を効率的に冷却させる必要がある。このため、本例では、図９に示されるように３つの冷却流路Ｃ１、Ｃ２、Ｃ３が設定されている。
冷却流路Ｃ１は、インテグレータ照明光学系４１を構成する光源装置４１１及び偏光変換素子４１５を冷却する流路であり、図２における吸気用開口部２４の装置内部に設けられるシロッコファン７１で吸引した冷却空気を、ダクト７２によってライトガイド４０の光源収納部４０１Ａの側方から光源装置４１１、偏光変換素子４１５に供給し、これらを冷却する。冷却後の空気は、排気ファン６１によって吸引され、プロジェクタ１の外部に排出される。
【００４５】
冷却流路Ｃ２は、光変調及び色合成を行う光学装置４４を冷却する流路であり、図２におけるフィルタ２３が設けられた位置に形成される吸気用開口部の装置内側に設けられるシロッコファンで吸引した冷却空気を、光学装置４４の下方から上方に向かって供給して、前記の液晶パネル４４１Ｒ、４４１Ｇ、４４１Ｂや、入射側偏光板４４２、視野角補正板４４３、射出側偏光板４４４を冷却する。冷却後の空気は、メイン基板５１の下面及びアッパーケース１１の筐体上面部１１Ａに沿って流れ、メイン基板５１に実装された回路素子を冷却しながら、排気ファン６１によって外部に排出される。
【００４６】
冷却流路Ｃ３は、電源ブロック６を冷却する流路であり、電源ブロック６の後端側に設けられる吸気ファン６２により、アッパーケース１１の筐体側面部１１Ｂに形成された開口部１１２、ロアーケース１２の筐体側面部１２Ｂに形成された開口部１２２から冷却空気を取り込み、取り込まれた冷却空気の一部は、電源ユニット及びランプ駆動ユニットに供給され、これらを冷却した後、排気ファン６１によって外部に排出される。
【００４７】
（３）外装ケース２の詳細な構成
図１０〜図１４を参照して、このような構造の外装ケース２をより詳細に説明する。
前述したように、前面部１３Ａの略中央部分には開口部２７が形成されおり、この開口部２７からは、投写レンズ３が露出している。この投写レンズ３には図示しないが、投写位置を調整するための位置調整機構が設けられている。この位置調整機構が設けられた投写レンズ３は、開口部２７内を移動する。開口部２７は、投写レンズ３の径に応じた幅寸法を有し、かつ投写レンズ３の位置調整範囲に応じた長さ寸法を有している（図１２（Ａ）参照）。また、図１１に示すように、この開口部２７は、前面部１３Ａの中央部分を外装ケース２内部側に窪ませて形成したものであり、開口部２７の周囲には、傾斜壁２７１が形成されている。前面部１３Ａの内面であって、傾斜壁２７１の周囲には、外装ケース２側に突出した４本の突起２７３が設けられている。この突起２７３のうち、図１１上方に設けられた２本の突起２７３を突起２７３Ａ、図１１下方に設けられた２本の突起２７３を突起２７３Ｂとする。
【００４８】
さらに、図１０及び図１１に示すように、前面部１３Ａの内面には、投写レンズ３と開口部２７との間に形成される隙間を遮蔽するための遮蔽部１３０と、上述した上面部（延出部）１３Ｂとが取り付けられている。
遮蔽部１３０は、第一遮蔽部材１３１、第二遮蔽部材１３２、第三遮蔽部材１３３の３つの遮蔽部材を備えている。
【００４９】
図１２（Ａ）に示すように、投写レンズ３を開口部２７の長さ方向（投写レンズ３の移動方向）略中央の基準位置に設置して露出させた際に、投写レンズ３の移動方向先端側及び後端側（図１２（Ａ）下方及び上方側）に隙間が形成される。第一遮蔽部材１３１は、この二つの隙間のうち、図１２（Ａ）上方の一方の隙間を遮蔽するものである。
図１０〜図１２（Ａ）に示すように、この第一遮蔽部材１３１は、最大径の投写レンズ３と同じ、あるいはそれ以上の曲率を有する円弧状の切り欠き１３１Ａが形成された平面略Ｃ字型の板状部材である。この第一遮蔽部材１３１の両端部には、投写レンズ３の移動方向に沿ってのびる長孔状の長孔１３１Ｂが形成されている。長孔１３１Ｂの上端部に突起２７３Ａが挿入され、第一遮蔽部材１３１は、突起２７３Ａを軸に摺動する。
【００５０】
第二遮蔽部材１３２は、基準位置に設置された投写レンズ３の移動方向先端側及び後端側（図１２（Ａ）下方及び上方側）の隙間のうち、図１２（Ａ）下方の他方の隙間を遮蔽するものである。
第二遮蔽部材１３２は、第一遮蔽部材１３１と略同様の大きさ形状の部材であり、切り欠き１３１Ａと同様の切り欠き１３２Ａが形成されている。また、両端部には、長孔１３１Ｂと同様の長孔１３２Ｂが形成されている。この長孔１３２Ｂの下端部に、突起２７３Ｂが挿入され、第二遮蔽部材１３２は、突起２７３Ｂを軸に摺動する。
第一遮蔽部材１３１と、第二遮蔽部材１３２とは、切り欠き１３１Ａ、１３２Ａが対向するように配置され、これにより投写レンズ３と略同じ径の開口が形成される。また、第一遮蔽部材１３１と、第二遮蔽部材１３２とは、その先端部がばねＳにより連結され、互いに接近する方向に付勢される。
【００５１】
図１１及び図１２（Ａ）に示すように、第三遮蔽部材１３３は、前面部１３Ａ内面と、第一遮蔽部材１３１及び第二遮蔽部材１３２との間に配置された平面略矩形形状の板状部材である。この第三遮蔽部材１３３の略中央部分には、孔１３３Ａが形成されており、この孔１３３Ａの径は、最大径の投写レンズ３と略同じである。
また、第三遮蔽部材１３３の四隅には投写レンズ３の移動方向に沿ってのびる長孔１３３Ｂ，１３３Ｃが形成されている。この長孔１３３Ｂ、１３３Ｃの長さは、第一遮蔽部材１３１及び第二遮蔽部材１３２の長孔１３１Ｂ，１３２Ｂよりも長くなっている。長孔１３３Ｂ，１３３Ｃには突起２７３Ａ，２７３Ｂが挿入され、第三遮蔽部材１３３は、遊嵌状態で前面部１３Ａに取り付けられる。従って、第三遮蔽部材１３３は孔１３３Ａから露出する投写レンズ３に自重により当接し、保持されて投写レンズ３の移動方向先端側及び後端側を遮蔽することとなる。
【００５２】
さらに、この第三遮蔽部材１３３は、第一遮蔽部材１３１と第二遮蔽部材１３２とを連結させた状態と略同じ大きさ形状であり、投写レンズ３の移動方向に沿った長さ寸法は、第一遮蔽部材１３１と第二遮蔽部材１３２とを連結させた状態におけるその長さ寸法と略等しい。投写レンズ３が基準位置にある場合には、第三遮蔽部材１３３と、第一遮蔽部材１３１及び第二遮蔽部材１３２とは略一致して重なった状態となる。
【００５３】
上面部１３Ｂは、第一遮蔽部材１３１の内面に取り付けられている。この上面部１３Ｂは、アッパーケース１１の筐体上面部１１Ａの略中央まで延出した延出部本体１３４と、この延出部本体１３４の前面部１３Ａ側に位置する端部から筐体底面部１２Ａ側に延びる取り付け部１３５とを備えている。
図１３に示すように、延出部本体１３４は、筐体上面部１１Ａに形成された取付段差部１１５にはめ込まれるものである。この取付段差部１１５には、開口部１１５Ａ〜１１５Ｃが形成されており、開口部１１５Ａ、１１５Ｂからは、投写レンズ３の基端部の固定部分が露出している。また、開口部１１５Ｃからは投写レンズ３のズーム、フォーカス等の駆動モータケーブルのコネクタが露出している。そして、延出部本体１３４により開口部１１５Ａ〜１１５Ｃが塞がれるのである。投写レンズ３を交換する際に、フロントケース１３を取り外すと上面部１３Ｂが外れて、開口部１１５Ａ〜１１５Ｃが露出する。開口部１１５Ａ、１１５Ｂにドライバー等を差し込み、ねじ等を緩め、開口部１１５Ｃからモータケーブルのコネクタを外し、投写レンズ３を取り外すことができるのである。
【００５４】
また、図１１及び図１２（Ａ）に示すように、取り付け部１３５には、最大径の投写レンズ３の曲率に応じた切り欠き１３５Ａが形成されている。さらに、取り付け部１３５には突起２７３Ａを挿入する孔１３５Ｂと、突起２７３とは別に前面部１３Ａの上端側に形成された突起２７４にねじ止めする孔１３５Ｃとが形成されている。これらの孔１３５Ｂにねじ止めする突起２７３Ａを挿入し、取り付け部１３５の切り欠き１３５Ａの周縁と開口部２７の上端縁とを略一致させる。従って、取り付け部１３５により、開口部２７が遮蔽されることはない。
【００５５】
以上のように、第三遮蔽部材１３３、第一遮蔽部材１３１、第二遮蔽部材１３２、上面部１３Ｂの順にこれらを前面部１３Ａに取り付け、突起２７３Ｂ，２７４にねじ止めされて組み立てられる。
【００５６】
次に、図１２（Ａ）及び図１２（Ｂ）を参照して、投写レンズ３の移動に伴う第一遮蔽部材１３１〜第三遮蔽部材１３３の動きを説明する。
投写レンズ３が基準位置にある場合には、投写レンズ３と、開口部２７との間の隙間は第一遮蔽部材１３１及び第二遮蔽部材１３２により遮蔽されている。また、遊嵌状態で前面部１３Ａに取り付けられた第三遮蔽部材１３３は、孔１３３Ａから露出する投写レンズ３に自重により当接し、保持され、第一遮蔽部材１３１及び第二遮蔽部材１３２と重なった状態となっている。
【００５７】
次に、投写レンズ３を第二遮蔽部材１３２側に移動させる。第二遮蔽部材１３２の切り欠き１３２Ａには投写レンズ３が当接しているため、投写レンズ３の移動に伴い、ばねＳがのび、第二遮蔽部材１３２が摺動する。
第一遮蔽部材１３１は長孔１３１Ｂの上端部が突起２７３Ａに係合しているので、第二遮蔽部材１３２側に摺動することはなく、その場で停止している。そのため、投写レンズ３と第一遮蔽部材１３１との間には隙間が形成される。
一方、投写レンズ３に保持された第三遮蔽部材１３３は、投写レンズ３とともに第二遮蔽部材１３２側に摺動する。従って、投写レンズ３と第一遮蔽部材１３１との間に形成される隙間は、第三遮蔽部材１３３により遮蔽されることとなる。
すなわち、第二遮蔽部材１３２側に移動した投写レンズ３の移動方向後端側と開口部２７との隙間は、第一遮蔽部材１３１と第三遮蔽部材１３３とで遮蔽され、移動方向先端側と開口部２７との隙間は、第二遮蔽部材１３２により遮蔽されることとなる。
【００５８】
さらに、第二遮蔽部材１３２側に移動させた投写レンズ３を基準位置に戻すために、第一遮蔽部材１３１側に投写レンズ３を移動させる。第二遮蔽部材１３２は第一遮蔽部材１３１側にばねＳにより付勢されているので、切り欠き１３２Ａが投写レンズ３に当接した状態で、投写レンズ３に追従して第一遮蔽部材１３１側に摺動する。投写レンズ３に保持された第三遮蔽部材１３３も投写レンズ３とともに第一遮蔽部材１３１側に摺動し、第一遮蔽部材１３１及び第二遮蔽部材１３２と重なった初期の状態に戻る。
【００５９】
なお、投写レンズ３を基準位置から第一遮蔽部材１３１側に移動させる場合にあっては、投写レンズ３と第二遮蔽部材１３２との間に形成される隙間は投写レンズ３に保持され、投写レンズ３とともに摺動する第三遮蔽部材１３３により遮蔽される。
すなわち、第一遮蔽部材１３１側に移動した投写レンズ３の移動方向後端側と開口部２７との隙間は第二遮蔽部材１３２と第三遮蔽部材１３３とで遮蔽され、移動方向先端側と開口部２７との隙間は、第一遮蔽部材１３１により遮蔽されることとなる。
【００６０】
また、第一遮蔽部材１３１側に移動させた投写レンズ３を再度、基準位置に戻す場合、第二遮蔽部材１３２側に移動させると、第二遮蔽部材１３２側に付勢された第一遮蔽部材１３１が投写レンズ３に追従して摺動する。第三遮蔽部材１３３も投写レンズ３とともに第一遮蔽部材１３１側に摺動し、第一遮蔽部材１３１及び第二遮蔽部材１３２と重なった初期の状態に戻る。
【００６１】
次に、最大径の投写レンズ３を径の小さい投写レンズ３’に変更した場合について説明する。
図１４に示すように、径の小さな投写レンズ３’を第二遮蔽部材１３２に当接させて装着させる。この際、第一遮蔽部材１３１と投写レンズ３’との間には隙間が形成される。第三遮蔽部材１３３は、遊嵌状態で前面部１３Ａに取り付けられているので、投写レンズ３に当接保持される位置まで第二遮蔽部材１３２側に自重により摺動する。従って、第一遮蔽部材１３１と投写レンズ３’との間に形成される隙間は、第三遮蔽部材１３３により遮蔽される。すなわち、投写レンズ３’と開口部２７との間の一方の隙間は第一遮蔽部材１３１及び第三遮蔽部材１３３とで遮蔽され、他方の隙間は第二遮蔽部材１３２により遮蔽されることとなる。
【００６２】
さらに、この投写レンズ３’は、第二遮蔽部材１３２側に移動させることも可能である。第三遮蔽部材１３３は、投写レンズ３’に当接保持されているので、投写レンズ３’の移動に伴って第二遮蔽部材１３２側に摺動する。従って、第三遮蔽部材１３３と第一遮蔽部材１３１との間に隙間が形成されない範囲において、投写レンズ３’の移動を行うことができるのである。
【００６３】
（４）実施形態の効果
従って、本実施形態によれば、以下の効果を奏することができる。
前述したように、最大径の投写レンズ３を基準位置から第二遮蔽部材１３２側に摺動させた場合には、投写レンズ３の移動方向先端側と開口部２７との隙間は第二遮蔽部材１３２により遮蔽され、後端側と開口部２７との隙間は第一遮蔽部材１３１及び第三遮蔽部材１３３により遮蔽される。投写レンズ３を基準位置から第一遮蔽部材１３１側に摺動させた場合には、投写レンズ３の移動方向先端側と開口部２７との隙間は第一遮蔽部材１３１により遮蔽され、後端側と開口部２７との隙間は第二遮蔽部材１３２及び第三遮蔽部材１３３により遮蔽される。このように、投写レンズ３の位置を調整しても開口部２７と投写レンズ３との間には隙間は形成されず、外観が良好となる。
【００６４】
また、投写レンズ３を基準位置から第二遮蔽部材１３２側に移動させた際、投写レンズ３の移動方向後端側と開口部２７との隙間をひとつの遮蔽部材で遮蔽する場合、この遮蔽部材は、この隙間と同じ長さ寸法を有するものでなければならない。そして、この遮蔽部材が前面部から突出してしまわないよう、前面部の投写レンズ３移動方向に沿った長さ寸法も長くしなければならない。
これに対し、本実施形態では、投写レンズ３を基準位置から移動させた際、投写レンズ３の移動方向後端側と開口部２７との隙間を第一遮蔽部材１３１と第三遮蔽部材１３３との二つで遮蔽することとなるので、ひとつの遮蔽部材で遮蔽しようとする場合に比べ、各遮蔽部材１３１，１３３の長さ寸法を短くすることができる。このように、遮蔽部材１３１，１３３の長さ寸法を短くすることができるので、前面部１３Ａの投写レンズ３移動方向に沿った長さ寸法を短くすることができ、外装ケース２の小型化を図ることができる。
【００６５】
さらに、径の小さな投写レンズ３’を第二遮蔽部材１３２に当接させて装着させると、第一遮蔽部材１３１と投写レンズ３’との間には隙間が形成されるが、この隙間を遊嵌状態で取り付けられた第三遮蔽部材１３３により遮蔽することができる。従って、本実施形態では、径の小さな投写レンズ３’を使用する場合においても、投写レンズ３’と開口部２７との間には隙間が形成されない。そのため、本実施形態においては、従来のように径ごとに専用の遮蔽部材を用意する必要がなく、部材点数を増加させずに径の小さな投写レンズ３’を使用することができる。
【００６６】
さらに、第一遮蔽部材１３１と第二遮蔽部材１３２とはばねＳで連結されているので、例えば、第二遮蔽部材１３２が摺動する場合には、ばねＳがのびるため、第二遮蔽部材１３２の摺動を妨げることはない。
また、例えば、投写レンズ３を基準位置から第二遮蔽部材１３２側に移動させた後、再度、投写レンズ３を基準位置に戻す場合、第二遮蔽部材１３２は第一遮蔽部材１３１側に付勢されているので、第二遮蔽部材１３２は投写レンズ３との間に隙間を形成することなく、投写レンズ３に追従して摺動する。同様に、投写レンズ３を第一遮蔽部材１３１側に移動させた後、再度、投写レンズ３を基準位置に戻す場合も、第一遮蔽部材１３１は第二遮蔽部材１３２側に付勢されているので、投写レンズ３との間に隙間を形成することなく、投写レンズ３に追従して摺動する。このように、投写レンズ３を移動させる際においても、投写レンズ３の周囲には隙間が形成されることがないので、外観が良好となる。
【００６７】
また、第一遮蔽部材１３１と第三遮蔽部材１３３は、前面部１３Ａと上面部１３Ｂの取り付け部１３５間に挟持されているので、前面部１３Ａに対し、第一遮蔽部材１３１及び第三遮蔽部材１３３を確実に取り付けることができる。
【００６８】
（５）変形例
なお、本発明は前述の実施形態に限定されるものではなく、本発明の目的を達成できる範囲での変形、改良等は本発明に含まれるものである。
例えば、前記実施形態では、第一遮蔽部材１３１の内面側に取り付け部１３５を取り付け、第一遮蔽部材１３１と第三遮蔽部材１３３は、前面部１３Ａと上面部１３Ｂの取り付け部１３５間に配置されているとしたが、このような構造には限らず、第一遮蔽部材１３１の内面側に取り付け部１３５を取り付けなくてもよい。
さらに、前記実施形態では、第一遮蔽部材１３１と第二遮蔽部材１３２とは、ばねＳにより連結されていたが、これに限らず、他の弾性材料、例えば、ゴム等によって連結される構造としてもよい。
【００６９】
また、前記実施形態では、第一遮蔽部材１３１と第二遮蔽部材１３２とをばねＳで連結し、接近する方向に付勢されるものとしたが、例えば、前面部１３Ａにばねを取り付けて、このばねにより第一遮蔽部材１３１と第二遮蔽部材１３２とを付勢してもよい。
さらに、前記実施形態では、図１２（Ａ）の上方の隙間を遮蔽するものを第一遮蔽部材１３１、図１２（Ａ）下方の隙間を遮蔽するものを第二遮蔽部材１３２としたが、これに限られず、第一遮蔽部材と第二遮蔽部材が反対であってもよい。
【００７０】
また、前記実施形態では、第三遮蔽部材１３３は、前面部１３Ａ内面と、第一遮蔽部材１３１及び第二遮蔽部材１３２との間に配置されていたが、これに限らず、第一遮蔽部材１３１及び第二遮蔽部材１３２よりも内面側に配置されていてもよい。
前記実施形態では、第三遮蔽部材１３３は一つの部材から構成されているものとしたが、第一遮蔽部材１３１、第二遮蔽部材１３２とを連結したように、２つの部材を連結して構成するものであってもよい。ただし、この場合には、部材点数が増加してしまうという問題がある。
【００７１】
さらに、第三遮蔽部材１３３は、投写レンズ３を露出する孔１３３Ａを有し、投写レンズ３の移動方向先端側及び後端側を遮蔽するものであったが、このような構造に限らず、少なくとも投写レンズ３の移動方向後端側に設けられるものであればよい。例えば、第二遮蔽部材１３２側を投写レンズ３の移動方向先端側とする場合には、第三遮蔽部材を第一遮蔽部材１３１と同様の形状のものとして第一遮蔽部材１３１と重なるように取り付けておくことができる。
ただし、この場合、第二遮蔽部材１３２側には第三遮蔽部材が取り付けられていないので、投写レンズ３を基準位置から第一遮蔽部材１３１側に移動させることはできない。本実施形態のように、投写レンズ３の移動方向先端側及び後端側を遮蔽する第三遮蔽部材１３３を設ければ、基準位置にある投写レンズ３を、第一遮蔽部材１３１側及び第二遮蔽部材１３２側の何れの方向にも移動させることができる。
【００７２】
また、前記実施形態では、第一遮蔽部材１３１、第二遮蔽部材１３２の摺動方向は、投写レンズ３の移動方向と一致していたが、このような構成に限らず、例えば、図１５に示すように、投写レンズ３の移動方向と異なっていてもよい。図１５において、矢印Ｅは投写レンズ３の移動方向を示し、矢印Ｆは、第一遮蔽部材１３１’、第二遮蔽部材１３２’の移動方向を示す。この場合には、第一遮蔽部材１３１’、第二遮蔽部材１３２’の長孔１３１Ｂ’，１３２Ｂ’の形状を矢印Ｆ方向にのびる形状とすればよい。また、切り欠き１３１Ａ’，１３２Ａ’の形状は、投写レンズ３の曲率よりも大きな形状とする必要がある。
【００７３】
【図面の簡単な説明】
【図１】本発明の実施形態に係るプロジェクタの外観構成を表す概要斜視図。
【図２】前記実施形態におけるプロジェクタの外観構成を表す概要斜視図。
【図３】前記実施形態におけるプロジェクタの内部構成を表す概要斜視図。
【図４】前記実施形態におけるプロジェクタの内部構成を表す概要斜視図。
【図５】前記実施形態におけるプロジェクタの内部構成を表す概要斜視図。
【図６】前記実施形態における光学ユニットを収納するライトガイドの構造を表す概要斜視図。
【図７】前記実施形態における光学ユニット構造を表す模式図。
【図８】前記実施形態における光学装置の構造を表す概要斜視図。
【図９】前記実施形態における冷却流路を表す概要斜視図。
【図１０】前記プロジェクタの前面部に遮蔽部及び上面部を取り付けた状態を示す斜視図。
【図１１】前記前面部、遮蔽部、上面部の分解斜視図。
【図１２】前記遮蔽部を示す平面図。
【図１３】前記プロジェクタの外観構成を示す分解斜視図。
【図１４】前記遮蔽部を示す平面図。
【図１５】遮蔽部の変形例を示す平面図。
【符号の説明】
１…プロジェクタ、２…外装ケース（プロジェクタ用筐体）、３…投写レンズ（投写光学系）、１１Ａ…筐体上面部、１３Ａ…前面部、１３Ｂ…上面部（延出部）、２７…開口部、１１５Ａ〜１１５Ｃ…開口部、１３０…遮蔽部、１３１…第一遮蔽部材、１３２…第二遮蔽部材、１３３…第三遮蔽部材、１３４…延出部本体、１３５…取り付け部
【図１】
2004205686.tif 000003
【図２】
2004205686.tif 000004
【図３】
2004205686.tif 000005
【図４】
2004205686.tif 000006
【図５】
2004205686.tif 000007
【図６】
2004205686.tif 000008
【図７】
2004205686.tif 000009
【図８】
2004205686.tif 000010
【図９】
2004205686.tif 000011
【図１０】
2004205686.tif 000012
【図１１】
2004205686.tif 000013
【図１２】
2004205686.tif 000014
【図１３】
2004205686.tif 000015
【図１４】
2004205686.tif 000016
【図１５】
2004205686.tif 000017